(57)【要約】 【課題】  設計変更を容易にする。【解決手段】  端子金具Ｔは板状の端子本体１０と板状の取付部材３０とを別々に備える。端子本体１０を基台６０のスタッドボルト６１に挿通しつつ基台６０上に載せるとともに、取付部材３０をスタッドボルト６１に挿通しつつ端子本体１０上に被せ付ける。このとき、取付部材３０に設けられた一対の係止片３２を基台６０に設定された対応する係止溝６２に嵌め入れることにより、端子本体１０をスタッドボルト６１に軸周り方向に回り止めした状態に保持する。その後、ナット７０の締め付けにより端子本体１０を取付部材３０とともに基台６０に固定する。したがって、大電流に対応可能なように端子本体１０の板厚を肉厚に変更しても、係止片３２の板厚や基台６０の係止溝６２の溝幅まで設計変更する必要がない。【選択図】  図１
2006228682.tif 000002
【特許請求の範囲】
【請求項１】
基台上に載置されて導電路を構成する板状の端子本体とこの端子本体上に被さるように組み付けられる板状の取付部材とを別々に備え、これら取付部材と端子本体とをボルトに挿通して前記基台との間にナット締めして固定するようになっており、かつ、
前記取付部材には、組み付け時に前記基台に設定された係止部に係止されることで前記端子本体を前記基台に対して回り止めした状態に保持するための係止片が設けられていることを特徴とする端子金具の取付構造。
【請求項２】
前記係止部は前記基台において前記ボルトの軸周り方向に複数設定され、前記係止片はこのうちのいずれか２つに対応して一対設けられ、前記端子本体には配向を異にする複数の係止面が設定され、かつ、
前記端子本体を軸周り方向に９０度より小さい回動角で回動することによって一の姿勢から他の姿勢に変換した場合に、変換前と変換後のいずれにおいても、前記複数の係止面のうちのいずれか２つが前記複数の係止部のうちのいずれか２つに位置合わせ可能とされるとともに、ここに前記一対の係止片が係止可能とされることを特徴とする請求項１に記載の端子金具の取付構造。
【請求項３】
前記係止部は前記基台において前記軸周り方向に等間隔をあけて設定された３つ以上の係止溝によって構成され、前記係止片はこのうちの隣接する２つの係止部に嵌入可能とされ、かつ、
前記隣接する２つの係止部間の軸周り方向の角度差を２以上の整数で割った値の角度で、前記端子本体を前記軸周り方向に回動して姿勢変換することにより、変換前とは異なる組み合わせの２つの係止面が変換前と同じ組み合わせの隣接する２つの係止部に位置合わせ可能とされることを特徴とする請求項２に記載の端子金具の取付構造。
【請求項４】
前記係止部は前記基台において軸芯を挟んで対称形をなす正多角形の各辺によって構成され、前記係止片はこのうちの前記軸芯を挟んで対向する一対の係止部に係止可能とされ、かつ、
前記端子本体の幅方向両側面に前記２つの係止面が設定され、
前記正多角形の外角に相当する角度で、前記端子本体を前記軸周り方向に回動して姿勢変換することにより、前記２つの係止面が変換前とは異なる組み合わせの一対の係止部に位置合わせ可能とされることを特徴とする請求項２に記載の端子金具の取付構造。
【発明の詳細な説明】
【技術分野】
【０００１】
本発明は、端子金具の取付構造に関する。
【背景技術】
【０００２】
端子金具の中には、全体として板状に形成され、長さ方向の一端に電線の端末に接続される電線接続部を有するとともに、長さ方向の他端にボルト挿通孔を有するものがある（例えば、以下の特許文献１を参照）。このものは、基台上のスタッドボルトにボルト挿通孔を挿通した状態からナットの締め付けがなされることで基台側に接続される。
また、端子金具の外周縁には係止片が突設され、基台には係止片と対応する位置に係止溝が設けられている。係止片が係止溝に嵌め入れられることにより、端子金具が回り止めされた状態で固定され、ナットの締め付けに伴う端子金具の連れ回りを回避できるようになっている。
【特許文献１】特開２０００−３３１７２７公報
【発明の開示】
【発明が解決しようとする課題】
【０００３】
ところで、大電流が流れる回路ではその大きな電気消費量に応じて端子金具の板厚を厚くする必要があった。しかし、上記の端子金具は一枚の金属板材からなる一体成形品であるため、板厚を厚くしようとすると、端子金具全体の板厚を厚くする必要があった。その結果、係止片の板厚も肉厚となるが、この係止片の板厚は係止溝の溝幅に対応しているから、係止片の板厚を変更すると係止溝の溝幅も変更するのを余儀なくされた。
ところが、基台の中には係止溝の溝幅が規格により定まっていて自由に設計変更できないものもあった。そうすると、係止片と係止溝のサイズが合わなくなるから、係止片を係止溝に無理嵌めしなければならず、組み付け作業に難渋する懸念があった。
【０００４】
本発明は上記のような事情に基づいて完成されたものであって、設計変更を容易にすることを目的とする。
【課題を解決するための手段】
【０００５】
上記の目的を達成するための手段として、請求項１の発明は、基台上に載置されて導電路を構成する板状の端子本体とこの端子本体上に被さるように組み付けられる板状の取付部材とを別々に備え、これら取付部材と端子本体とをボルトに挿通して前記基台との間にナット締めして固定するようになっており、かつ、前記取付部材には、組み付け時に前記基台に設定された係止部に係止されることで前記端子本体を前記基台に対して回り止めした状態に保持するための係止片が設けられている構成としたところに特徴を有する。
【０００６】
請求項２の発明は、請求項１に記載のものにおいて、前記係止部は前記基台において前記ボルトの軸周り方向に複数設定され、前記係止片はこのうちのいずれか２つに対応して一対設けられ、前記端子本体には配向を異にする複数の係止面が設定され、かつ、前記端子本体を軸周り方向に９０度より小さい回動角で回動することによって一の姿勢から他の姿勢に変換した場合に、変換前と変換後のいずれにおいても、前記複数の係止面のうちのいずれか２つが前記複数の係止部のうちのいずれか２つに位置合わせ可能とされるとともに、ここに前記一対の係止片が係止可能とされるところに特徴を有する。
【０００７】
請求項３の発明は、請求項２に記載のものにおいて、前記係止部は前記基台において前記軸周り方向に等間隔をあけて設定された３つ以上の係止溝によって構成され、前記係止片はこのうちの隣接する２つの係止部に嵌入可能とされ、かつ、前記隣接する２つの係止部間の軸周り方向の角度差を２以上の整数で割った値の角度で、前記端子本体を前記軸周り方向に回動して姿勢変換することにより、変換前とは異なる組み合わせの２つの係止面が変換前と同じ組み合わせの隣接する２つの係止部に位置合わせ可能とされるところに特徴を有する。
【０００８】
請求項４の発明は、請求項２に記載のものにおいて、前記係止部は前記基台において軸芯を挟んで対称形をなす正多角形の各辺によって構成され、前記係止片はこのうちの前記軸芯を挟んで対向する一対の係止部に係止可能とされ、かつ、前記端子本体の幅方向両側面に前記２つの係止面が設定され、前記正多角形の外角に相当する角度で、前記端子本体を前記軸周り方向に回動して姿勢変換することにより、前記２つの係止面が変換前とは異なる組み合わせの一対の係止部に位置合わせ可能とされるところに特徴を有する。
【発明の効果】
【０００９】
＜請求項１の発明＞
ボルトに端子本体を挿通させつつ端子本体を基台上に載せ、さらにこのボルトに取付部材を挿通させつつ取付部材を端子本体上に被せ付ける。その後、ナットの締め付けにより端子本体を取付部材とともに基台に固定する。このとき、取付部材の係止片を基台に設定された係止部に係止することで端子本体を基台に対して回り止めした状態に保持するから、ナットの締め付けに伴う端子本体の連れ回りを回避できる。
この場合において、端子本体と取付部材とが互いに別体として構成されるから、大電流を流すときは端子本体の板厚を肉厚に変更するだけでよく係止片の板厚を肉厚に変更する必要がない。その結果、係止溝の溝幅も変更しなくて済む。しかも、端子本体は周知の丸端子や角端子で賄えるから、汎用性に優れる。
【００１０】
＜請求項２の発明＞
基台に設定されたいずれか２つの係止部に端子本体に設定されたいずれか２つの係止面を位置合わせし、そこに係止片を係止させることによって端子本体を一の姿勢で保持する。この状態から端子本体を軸周り方向に９０度より小さい回動角で回動することにより、いずれか２つの係止部にいずれか２つの係止面を位置合わせし、そこに係止片を係止させて端子本体を他の姿勢で保持する。したがって、端子本体を軸周り方向の複数位置にそれぞれ異なる姿勢で取り付けることが可能となる。
【００１１】
＜請求項３の発明＞
隣接する２つの係止部間の軸周り方向の角度差を２以上の整数で割った値の角度で、端子本体を軸周り方向に回動することにより、変換前とは異なる組み合わせの２つの係止面を変換前と同じ組み合わせの２つの係止部に位置合わせし、端子本体を一の姿勢から他の姿勢に変換する。これにより、軸周り方向における端子本体の取付姿勢を受け部の個数を２以上整数倍した数だけ細かく設定することが可能となる。
【００１２】
＜請求項４の発明＞
基台における正多角形の外角に相当する角度で、端子本体を軸周り方向に回動することにより、２つの係止面を変換前とは異なる組み合わせの一対の係止部に位置合わせし、端子本体を一の姿勢から他の姿勢に変換する。これにより、軸周り方向における端子本体の姿勢を正多角形の角数に相当する数だけ細かく設定することが可能となる。
【発明を実施するための最良の形態】
【００１３】
＜実施形態１＞
本発明の実施形態１を図１ないし図３によって説明する。本実施形態の端子金具Ｔは、自動車のエンジンルームに配備されたオルタネータ（発電機）のスタッドボルト６１に挿通接続されるものである。
【００１４】
オルタネータ（全体は図示せず）は、図１に示すように、円柱形の基台６０を有し、この基台６０の上面に、外周に雄ねじ６１Ａの切られたスタッドボルト６１が立設されている。基台６０の上面は平坦に形成され、ここにはスタッドボルト６１の軸周り方向に等間隔（９０度間隔）をあけて４つの係止溝６２が設定されている。各係止溝６２は、スタッドボルト６１の軸芯を挟んで互いに平行に延出して形成される。
【００１５】
端子金具Ｔは互いに別体部品として成形された板状の端子本体１０と同じく板状の取付部材３０とからなり、取付部材３０は端子本体１０よりも薄肉とされる。端子本体１０は、本体部１１とこの本体部１１の側縁に連なるバレル状の電線接続部１２とからなる。さらに、電線接続部１２は、電線５０の端末で露出された芯線５１に対して巻き付けられる一対のワイヤーバレル１２Ａとその後方にて電線５０の端末被覆５２に対して巻き付けられる一対のインシュレーションバレル１２Ｂとからなる。
【００１６】
本体部１１の先端外縁は半円弧状に縁取られ、その内側にはスタッドボルト６１を嵌通可能な接続孔１３が同心状に形成されている。本体部１１には取付部材３０が被さるようになっており、そこに上方からナット７０の締め付けがなされることで端子本体１０が基台６０側と導通可能に接続される。本体部１１のうち先端部よりも後方領域でかつ電線接続部１２よりも前方領域は長さ方向に同幅をもって延出して形成され、ここの幅寸法が基台６０において軸芯を挟んで対向する一対の係止溝６２の離間距離とほぼ等しくなるように設定されている。
【００１７】
続いて取付部材３０を説明すると、取付部材３０は、略円形状の押当部３１とこの押当部３１の径方向両端から略直角に屈曲された一対の係止片３２とからなり、正面から見ると略門型に形成されている。押当部３１の中心には取付孔３３が同心状に形成され、この取付孔３３と接続孔１３とが連通してそこにスタッドボルト６１が嵌通可能とされる。
【００１８】
押当部３１の前半領域の外縁は本体部１１の先端外縁に合致する構成とされ、取付部材３０が端子本体１０に被さると、本体部１１の先端側が押当部３１によって覆い隠される（図２を参照）。
各係止片３２は、全体として略長方形状をなし、取付孔３３の中心を挟んで互いに対称位置する構成とされる。各係止片３２間の離間距離は基台６０の上面において対向する一対の係止溝６２間の離間距離と等しくなるように設定してあり、取付部材３０をスタッドボルト６１に挿通しつつ端子本体１０に被せ付けると、各係止片３２が前記一対の係止溝６２に緊密に嵌入するようになっている（図３を参照）。このとき、端子本体１０は取付部材３０にスタッドボルト６１の軸周り方向にがたつくことなく保持されるから、その後にナット７０の締め付けがなされても、それに伴い端子本体１０が連れ回りすることがない。
【００１９】
次に本実施形態の作用効果について説明する。まず電線５０の端末を皮剥ぎして芯線５１を露出させ、そこにワイヤバレル１２Ａをかしめ付けるとともに電線５０の端末被覆５２にインシュレーションバレル１２Ｂをかしめ付ける。この状態で端子本体１０の先端部をスタッドボルト６１に挿通しつつ基台６０の上面に載置する。それから、取付部材３０を同じくスタッドボルト６１に挿通しつつ端子本体１０に跨るようにして組み付ける。この組み付けに伴い取付部材３０の各係止片３２を係止溝６２に嵌め入れ、もって端子本体１０を軸周り方向に回り止めした状態で保持する。続いて、図２及び図３に示すように、上方からナット７０をスタッドボルト６１に螺合し、ナット７０の下面と基台６０の上面との間に端子本体１０を取付部材３０とともに板厚方向に締め付け固定する。
【００２０】
この場合に、端子本体１０と取付部材３０とをそれぞれ別体としたから、端子本体１０の板厚と取付部材３０の板厚とをそれぞれ異なる厚さに容易に設定することが可能となる。したがって、大電流回路に対応して端子本体１０の板厚を肉厚としても取付部材３０の板厚までも肉厚とする必要がなく、つまり係止片３２の板厚は従前のままで使用できるから、この係止片３２に対応するサイズに設定された係止溝６２の溝幅を設計変更しなくて済む。その結果、サイズが合わないにもかかわらず係止片３２を係止溝６２に無理入れする事態を回避でき、基台６０に対する端子金具Ｔの組み付け作業性を改善できる。また、端子本体１０は周知の丸端子や角端子で賄えるから、汎用性に優れる。
【００２１】
＜実施形態２＞
次に、本発明の実施形態２を図４及び図５によって説明する。実施形態２では、端子本体１０の先端部の形状と取付部材３０の係止片３２の配設位置が実施形態１とは異なっている。その他は実施形態１とほぼ同一であるから、構造上の同一部位には同一符号を付し、重複する説明は省略する。
【００２２】
すなわち、実施形態２の端子本体１０の先端部は、本体部１１の先端部における２つの角部が傾斜直線状に角落としされた多角形状をなし、もって配向を異にする５つの係止面１０Ａ〜１０Ｅによりその外縁が縁取られている。詳しくは各係止面１０Ａ〜１０Ｅは、それぞれ接続孔１３の孔中心から等間隔をあけて配置されるものであり、端子本体１０の前端面を構成して端子本体１０の幅方向に沿って配された第１係止面１０Ａと、端子本体１０の幅方向両側面を構成して端子本体１０の長さ方向に沿って配された第２係止面１０Ｂ（図４に示す右側）及び第３係止面１０Ｃ（図４に示す左側）と、第２係止面１０Ｂの前端から第１係止面１０Ａの右端にかけて左斜め４５度の方向に昇り勾配となる第４係止面１０Ｄと、第３係止面１０Ｃの前端から第１係止面１０Ａの左端にかけて右斜め４５度の方向に昇り勾配となる第５係止面１０Ｅとからなる。言い換えれば、各係止面１０Ａ〜１０Ｅは、正８角形の各辺６３のうち片側５辺によって構成されている。
【００２３】
端子本体１０をスタッドボルト６１に挿通しつつ基台６０の上面に載せると、各係止面１０Ａ〜１０Ｅのうち１つ飛びに配された３つの係止面（第１係止面１０Ａ、第２係止面１０Ｂ、第３係止面１０Ｃ）が対応する基台６０の係止溝６２の内縁に沿って配されるとともに、これらの間に位置する２つの係止面（第４係止面１０Ｄ、第５係止面１０Ｅ）が隣接する係止溝６２同士を斜めにつなげるような態様で配される。
【００２４】
また、実施形態２の取付部材３０の係止片３２は、図４に示すように、押当部３１の外縁において接続孔１３の軸周り方向に互いに９０度位相をずらして一対設けられている。取付部材３０を端子本体１０を跨ぐように組み付けると、各係止片３２は、各係止面１０Ａ〜１０Ｅのうち１つ飛びに配された２つの係止面（１０Ａ及び１０Ｂ、１０Ａ及び１０Ｃ、１０Ｄ及び１０Ｅのうちのいずれかの組み合わせ）の直外方に配されるとともに隣接するいずれか２つの係止溝６２に嵌入して端子本体１０を軸周り方向に回り止めした状態で保持する。
【００２５】
次いで実施形態２の作用効果を説明する。まず、端子本体１０をスタッドボルト６１に挿通しつつ基台６０の上面に載せる。このとき、第１係止面１０Ａ、第２係止面１０Ｂ、第３係止面１０Ｃをそれぞれ対応する係止溝６２に位置合わせする。この状態で取付部材３０をスタッドボルト６１に挿通しつつ端子本体１０上に被せ付け、各係止片３２を前記係止溝６２のうち隣接する２つの係止溝６２に嵌め入れる。すると、図５の実線で示すように、端子本体１０は取付部材３０によって軸周り方向に回り止めされた状態で保持される。あとはナット７０をスタッドボルト６１に螺合することで端子本体１０を取付部材３０とともに基台６０上に固定する。これにより、端子本体１０が接続する電線５０を図５の実線で示す方向に取り出すことが可能となる。
【００２６】
ところで、オルタネータの周辺環境に応じて電線５０の取り出し方向を変更する必要性が生じるが、本実施形態では端子本体１０の取付姿勢をスタッドボルト６１の軸周り方向に４５度間隔で回動可能となっており、これに伴い電線５０の取り出し方向もスタッドボルト６１の軸周り方向に４５度間隔で変更可能となっている。
具体的には、端子本体１０を上記一の姿勢から軸周り方向（詳しくは図５に示す反時計回り）に４５度回動すると、今度は第４係止面１０Ｄ及び第５係止面１０Ｅがそれぞれ対応する係止溝６２に位置合わせされる。これら係止溝６２は、先に第１係止面１０Ａ及び第３係止面１０Ｃによって位置合わせされたものであって、各係止片３２を嵌入可能な前記隣接する２つの係止溝６２に相当する。
【００２７】
続いて、取付部材３０をスタッドボルト６１に挿通しつつ端子本体１０上に被せ付け、各係止片３２を前記隣接する２つの係止溝６２に嵌入し、端子本体１０を軸周り方向に回り止めした状態で保持する。その状態でナット７０をスタッドボルト６１に螺合して端子本体１０を取付部材３０とともに基台６０上に固定する。
【００２８】
こうして端子本体１０は他の姿勢に変換保持されるが、これからさらに端子本体１０を軸周り方向に４５度回動すると、今度は第１係止面１０Ａ及び第２係止面１０Ｂが同じく前記隣接する２つの係止溝６２に位置合わせされ、もって端子本体１０がさらなる他の姿勢に変換保持されることになる。結局のところ、端子本体１０が軸周り方向に一周するうちに８通りの取付姿勢に変換可能となり、これにより、基台６０に対する端子本体１０の取付姿勢の選択幅が増えるから、電線５０の取り出し方向の自由度が高められる。
【００２９】
＜実施形態３＞
図６及び図７は本発明の実施形態３を示す。実施形態３では基台６０の断面形状が実施形態１及び実施形態２と異なっているが、端子本体１０を軸周り方向に８通りの姿勢で取り付け可能とする点は実施形態２と同様である。
【００３０】
すなわち、実施形態３の端子本体１０の先端部は、略方形状に形成されており、その幅方向両側面にそれぞれ第６係止面１０Ｆ（図６に示す右側）及び第７係止面１０Ｇ（図６に示す左側）が対向状に設定されている。
そして、実施形態３の基台６０の断面形状はスタッドボルト６１の軸芯を中心とした正８角形状をなし、軸芯を挟んで対向する各辺６３間の離間距離は、端子本体１０の先端部の幅寸法つまり第６係止面１０Ｆと第７係止面１０Ｇとの間の離間距離と等しくなるように設定されている。
【００３１】
また、実施形態３の取付部材３０は、実施形態１と同様に、押当部３１の径方向両端から一対の係止片３２を突出させてなり、各係止片３２間の離間距離が同じく軸芯を挟んで対向する各辺６３間の離間距離及び端子本体１０の先端部の幅寸法（第６係止面１０Ｆと第７係止面１０Ｇとの間の離間距離）と等しくなるように設定されている。
【００３２】
次いで実施形態３の作用効果を説明する。まず端子本体１０をスタッドボルト６１に挿通しつつ基台６０上に載せるとともに第６係止面１０Ｆ及び第７係止面１０Ｇを対応する各辺６３に位置合わせし、その状態で取付部材３０をスタッドボルト６１に挿通しつつ端子本体１０上に被せ付ける。すると、各係止片３２が前記各辺６３にそれぞれ係止し、端子本体１０が軸周り方向に回り止めされた状態で保持される。その後、ナット７０をスタッドボルト６１に螺合して端子本体１０を一の姿勢で固定する（図７の（Ａ）を参照）。
【００３３】
端子本体１０の取付姿勢を変換するには、端子本体１０を軸周り方向に４５度回動することにより、第６係止面１０Ｆ及び第７係止面１０Ｇを先の各辺６３とは異なる組み合わせの隣接する各辺６３に位置合わせし、その状態で取付部材３０をスタッドボルト６１に挿通しつつ端子本体１０上に被せ付け、各係止片３２を前記隣接する各辺６３にそれぞれ係止する。すると、端子本体１０が軸周り方向に回り止めされた状態で保持されるから、あとは上記同様に、ナット７０をスタッドボルト６１に螺合して端子本体１０を他の姿勢で固定する（図７の（Ｂ）を参照）。したがって、かかる操作を繰り返せば、端子本体１０を軸周り方向に８通りの姿勢で取り付けることが可能となり、基台６０に対する端子本体１０の取付姿勢の選択幅が増えるから、電線５０の取り出し方向の自由度が高められる。また、端子本体１０は周知の角端子や丸端子で賄えるから、汎用性に優れる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態２及び実施形態３では、端子本体の取付姿勢を軸周り方向に４５度間隔で変換可能な構成としたが、本発明においては、端子本体の取付姿勢を軸周り方向に例えば６０度間隔または３０度間隔で変換可能な構成としてもよい。具体的には、実施形態３において基台の断面形状を正３角形状または正６角形状にしたり、実施形態２において係止溝を軸周り方向に等間隔（１２０度間隔）をあけて３つ設けたり、あるいは実施形態２において端子本体の係止面の数を７つにすればよい。要は、端子本体を軸周り方向に９０度よりも小さい回動角で回動したときに、変換前と変換後のいずれにおいても、端子本体に設定された２つの係止面が基台に設定された２つの係止部に位置合わせ可能となり、そこに取付部材の係止片が係止可能となる構成であればよい。
【００３５】
（２）上記実施形態２の変形例を勘案するに、係止溝は基台において軸周り方向に等間隔をあけて設定され、係止片はこのうちの隣接する２つの係止溝に嵌入可能とされるとよい。そして、隣接する２つの係止部間の軸周り方向の角度差を２以上の整数で割った値の角度で、つまり隣接する２つの係止部間の軸周り方向の角度が９０度であれば４５度とか３０度で、また隣接する２つの係止部間の軸周り方向の角度が１２０度であれば６０度とか４０度の角度で、端子本体を軸周り方向に回動して姿勢変換したときに、変換前とは異なる組み合わせの２つの係止面が変換前と同じ組み合わせの隣接する２つの係止溝に位置合わせ可能とされ、そこに一対の係止片が係止可能とされるとよい。
【００３６】
（３）上記実施形態３の変形例を勘案するに、係止部は軸芯を挟んで対称形をなす正多角形、つまり正６角形等の各辺によって構成され、係止片はこのうちの対向する一対の係止部に係止可能とされ、さらに端子本体の幅方向両側面によって２つの係止面が構成されるとよい。そして、正多角形の外角に相当する角度で、つまり正６角形であれば６０度で（実施形態３は正８角形であるから４５度）、端子本体を軸周り方向に回動して姿勢変換したときに、２つの係止面が変換前とは異なる組み合わせの一対の係止部に位置合わせ可能とされ、そこに一対の係止片が係止可能とされるとよい。
【００３７】
（４）上記実施形態においては、オルタネータのスタッドボルトに対する端子金具の取付構造を例示したが、本発明においては、例えばバッテリのスタッドボルトに対する端子金具の取付構造としても適用できる。
【図面の簡単な説明】
【００３８】
【図１】実施形態１の端子金具の取付構造の分解斜視図
【図２】平面図
【図３】縦断面図
【図４】実施形態２の端子金具の取付構造の分解斜視図
【図５】平面図
【図６】実施形態３に端子金具の取付構造の分解斜視図
【図７】（Ａ）端子本体を一の姿勢で固定したときの平面図  （Ｂ）端子本体を他の姿勢で固定したときの平面図
【符号の説明】
【００３９】
Ｔ…端子金具
１０…端子本体
１１…本体部
１２…電線接続部
１３…接続孔
３０…取付部材
３１…押当部
３２…係止片
３３…取付孔
５０…電線
５１…芯線
６０…基台
６１…スタッドボルト
６２…係止溝
７０…ナット
【図１】
2006228682.tif 000003
【図２】
2006228682.tif 000004
【図３】
2006228682.tif 000005
【図４】
2006228682.tif 000006
【図５】
2006228682.tif 000007
【図６】
2006228682.tif 000008
【図７】
2006228682.tif 000009